(57)【要約】【課題】従来の照明装置を備えた電子機器では、照明部の数と同数の光源が必要とされていたため、光源の数が多くて不経済であるばかりでなく、その光源を配置するためのスペースを確保することが難しかった。【解決手段】開口部７を有する筐体２と、その開口部７を開閉可能として筐体２に取り付けられた蓋体３と、筐体又は蓋体に関連して設けられた照明装置と、を備えて構成されている。照明装置は、光を一以上の方向へ向けて放射する発光ダイオード５５と、その発光ダイオード５５から放射された光を透過させる導光部材２０を有している。導光部材２０は、光の供給により発光されて外部から視認可能となる可視部２１、光の供給により発光されて周囲を照明する照明部２２、及び、光の供給によりその光を隣接して設置される照明部材４０に供給する供給部２３のうち、少なくとも二つの部分を設けた。【選択図】図４
2009271981.tif 000002
【特許請求の範囲】
【請求項１】
開口部を有する筐体と、
前記開口部を開閉可能として前記筐体に取り付けられた蓋体と、
前記筐体又は前記蓋体に関連して設けられた照明装置と、を備え、
前記照明装置は、
光を一以上の方向へ向けて放射する光源と、
前記光源から放射された光を透過させると共に、前記光が供給されることにより発光されて外部から視認可能となる可視部、前記光が供給されることにより発光されて周囲を照明する照明部、及び前記光が供給されることにより当該光を隣接して設置される照明部材に供給する供給部のうち、少なくとも二つの部分を有する導光部材と、を設けた
電子機器。
【請求項２】
前記電子機器は、前記開口部を出入り可能に設けられたディスクトレイを有するディスク記録及び／又は再生装置である
請求項１記載の電子機器。
【請求項３】
前記ディスクトレイは、ディスク状記録媒体が着脱可能に載置されるディスク収納部を有し、前記ディスク収納部を囲うように前記照明部材を配置した
請求項２記載の電子機器。
【請求項４】
前記照明部材は、前記ディスクトレイが前記開口部から引き出された状態において、前記導光部材の前記供給部から前記光が供給されるように受光部を配置した
請求項３記載の電子機器。
【請求項５】
前記照明部材は、前記受光部に連続されて一体に形成されると共に前記光が供給されることにより発光して外部から視認可能となるレンズ部を一以上設け、
前記一以上のレンズ部を前記ディスク収納部の周囲に配置した
請求項４記載の電子機器。
【請求項６】
前記光源は、発光ダイオードである
請求項１記載の電子機器。
【請求項７】
光を一以上の方向へ向けて放射する光源と、
前記光源から放射された光を透過させると共に、前記光が供給されることにより発光されて外部から視認可能となる可視部、前記光が供給されることにより発光されて周囲を照明する照明部、及び前記光が供給されることにより当該光を隣接して設置される照明部材に供給する供給部のうち、少なくとも二つの部分を有する導光部材と、を設けた
照明装置。
【発明の詳細な説明】
【技術分野】
【０００１】
本発明は、ＤＶＤプレーヤやＤＶＤレコーダ等の電子機器の照明装置に関し、特に、映画の鑑賞時等のように電子機器を暗がりの部屋等で使用する場合に、操作パネルの操作ボタンやディスクトレイのディスク収納部等の複数箇所を表示したり、照明したりするための照明装置、及び、その照明装置を備えた電子機器に関する。
【背景技術】
【０００２】
従来の、この種の照明装置を備えた電子機器の例としては、例えば、特許文献１に記載されているようなものがある。特許文献１には、この特許出願人が先に特許出願したもので、装置本体から引き出されるトレイにディスクを載置して装着するようにしたディスク駆動装置に関するものが記載されている。この特許文献１に係るディスク駆動装置は、トレイ上に、ディスクの装着部を照らす照明部を設けた、ことを特徴としている。
【０００３】
このような構成を有する従来のディスク駆動装置によれば、使用環境の明るさによらず、デリケートな記録媒体であるディスクを装置本体やトレイに接触させることなく常に的確なディスクの装着及び取り出しを行うことができる、という効果が期待される。
【０００４】
この従来技術としてのディスク駆動装置は、１個のディスクトレイのディスク収納部の外周縁の４箇所に、又は、外周縁の全周に亘って照明部を設け、その照明部でディスク装着部を照らす構成となっていた。それらの照明部、即ち、４箇所に等間隔に設けられ又は全周に亘るように設けられた照明部は、一般的なランプやＬＥＤを光源として構成されており、装置本体からトレイが引き出されたときに自動的に点灯されるように構成されている。
【０００５】
しかしながら、上述した従来のディスク駆動装置は、照明部が、何れも一般的なランプやＬＥＤを光源として構成されていたため、光源が、照明部の数だけ必要になっていた。その結果、照明部の数に比例して光源の数が多くなるために、部品点数が多く必要になって不経済であるばかりでなく、また、この種の電子機器には限られたスペースしかないことから、光源を配置するためのスペースを確保することが困難であるという問題があった。
【特許文献１】特開２００３−１０９２７９号公報
【発明の開示】
【発明が解決しようとする課題】
【０００６】
解決しようとする問題点は、従来の照明装置を備えた電子機器では、照明部の数と同数の光源が必要とされていたため、光源の数が多くて不経済であるばかりでなく、その光源を配置するためのスペースを確保することが難しい、という点である。
【課題を解決するための手段】
【０００７】
本発明の電子機器は、開口部を有する筐体と、その開口部を開閉可能として筐体に取り付けられた蓋体と、筐体又は蓋体に関連して設けられた照明装置と、を備えて構成されている。更に、照明装置は、光を一以上の方向へ向けて放射する光源と、その光源から放射された光を透過させる導光部材を有している。導光部材は、光の供給により発光されて外部から視認可能となる可視部、光の供給により発光されて周囲を照明する照明部、及び、光の供給によりその光を隣接して設置される照明部材に供給する供給部のうち、少なくとも二つの部分を設けた。
【０００８】
本発明の照明装置は、光を一以上の方向へ向けて放射する光源と、その光源から放射された光を透過させる導光部材を有している。導光部材は、光の供給により発光されて外部から視認可能となる可視部、光の供給により発光されて周囲を照明する照明部、及び、光の供給によりその光を隣接して設置される照明部材に供給する供給部のうち、少なくとも二つの部分を設けた。
【発明の効果】
【０００９】
本発明の照明装置及び電子機器によれば、１つの光源から放射される光を、可視部、照明部及び供給部のうち少なくとも二つの部分を有する導光部材に導き、その光を、可視部で光らせたり、照明部を光らせて照明したり、供給部を透過させて照明部材に導く。これにより、導光部材に複数の機能を発揮させ、１つの光源から供給される光を様々な方向に分配して、１つの光源からの光で複数箇所を発光表示したり、照明したりすることができる。
【発明を実施するための最良の形態】
【００１０】
可視部、照明部及び供給部の少なくとも二つの部分（可視部が２つ以上、照明部が２つ以上、又は、供給部が２つ以上の各場合を含む。）を有する導光部材と光源を設けることにより、比較的簡単な構成によって実現した。
【実施例１】
【００１１】
以下、本発明の実施の形態の例を、添付した図面を参照して説明する。図１及び図２は、本発明の照明装置を備えた電子機器の一実施例に係るＤＶＤ機器（ＤＶＤレコーダ、ＤＶＤプレーヤ等）を示すもので、図１は外観斜視図、図２は正面図である。ＤＶＤ機器１は、光ディスクを情報記録媒体として用いて、その光ディスクに予め記録されている情報を再生したり、その光ディスクに新たに情報を記録したりするものである。本発明の照明装置及び電子機器は、ＤＶＤ機器１に限定されるものではなく、光ディスク以外のディスク状記録媒体（光磁気ディスク、磁気ディスク等）を用いることができることは勿論のこと、半導体記録媒体その他の情報記録媒体を適用することができる。例えば、テープカセット等のテープ状記録媒体を用いることもできる。
【００１２】
図１及び図２に示すように、ＤＶＤ機器１は、略直方体をなす偏平な筐体２と、この筐体２の前面に回動可能に取り付けられた蓋体３を備えて構成されている。筐体２は、板金やプラスチック板等の板状部材で六面を囲うようにして形成した中空の容器からなり、その底面や背面或いは側面には、筐体２の内外を連通する通気穴が必要に応じて設けられている。この筐体２の内部に、光ディスクを用いて情報信号の記録再生を実行するディスクドライブ装置４と、そのディスクドライブ装置４を駆動制御する図示しない制御装置と、その他の必要な装置及び機構が内蔵されている。そして、筐体２の下面の四隅には、高さ調整の可能な脚体部１６が設けられている。
【００１３】
ディスクドライブ装置４は、ディスクトレイ５に光ディスクを載置して、そのディスクトレイ５を筐体２内のディスク装着部と筐体２外のディスク取出部とに搬送するトレイ搬送方式のディスクドライブ装置である。このディスクドライブ装置４は、この種のディスクドライブ装置として一般的な構成を有するものである。即ち、ディスクドライブ装置４の概略を説明すると、図示しないベースフレームと、ターンテーブルを有する図示しないスピンドルモータと、光ピックアップを有する図示しない光学ピックアップ装置と、ディスクトレイ５等を備えて構成されている。
【００１４】
ベースフレームは筐体２に固定され、このベースフレームに対して、スピンドルモータの搭載されたドライブシャーシが姿勢変更可能に取り付けられている。このドライブシャーシに光学ピックアップ装置が移動可能に支持されており、その光学ピックアップ装置を移動させるピックアップ移動機構の作動により、光ピックアップがターンテーブルに対して接近及び離反可能に構成されている。このターンテーブルの存在する位置がディスク装着部である。このディスク装着部において、ディスクトレイ５に載置されて搬送された光ディスクがターンテーブルに装着され、また、ターンテーブルから離脱された光ディスクがディスクトレイ５に載置される。
【００１５】
このような構成を有するディスクドライブ装置４が、筐体２内の上部の略中央部に配置されている。筐体２の前面２ａは横長の長方形となっており、その前面２ａの略上半分が蓋体３によって開閉可能とされている。蓋体３は、前面２ａの略上半分を覆うことができる細長の板状部材からなり、幅方向の一辺である下辺をヒンジ６で支持することにより、蓋体３が筐体２に対して上下方向へ回動可能に取り付けられている。ヒンジ６は、蓋体３が横長であるために、長手方向の両側部の２箇所に設けられている。
【００１６】
この筐体２の上部の略中央部にディスクドライブ装置４が配置されていて、その前面２ａに、ディスクドライブ装置４の前面の形状及び大きさに対応した形状及び大きさを有する横長の長方形をなす開口部７が設けられている。この開口部７には、ディスクドライブ装置４のディスクトレイ５の前端部５ａに取り付けられたベース板８と、このベース板８の前面に取り付けられた化粧板９が出し入れ可能に嵌合されている。ベース板８は、化粧板９をディスクトレイ５に取り付けるために設けたものであり、開口部７に嵌まり合う形状及び大きさを有する正面形状が長方形をなす部材として形成されている。
【００１７】
化粧板９は、本発明の照明装置に係る照明部材の第１の具体例を示すものである。この化粧板９は、主な機能として、次の３つの機能を有している。化粧板９の第１の機能は、供給される光を、そのまま直線的に透過させる機能である。また、化粧板９の第２の機能は、浮き文字照明としての機能である。この浮き文字照明は、化粧板９の裏面又は表面に凹側の彫刻（凹彫刻）１１を施し、その化粧板９の側方から光を供給することによって得ることができる。この場合、化粧板９の側面から光を照明すると、化粧板９内を透過する光が凹彫刻１１によって反射され、光の向きが変更される。これにより、凹彫刻１１によって形成された文字や記号、模様等が、正面から見て、浮いたように見える状態となる。このような凹彫刻１１は、例えば、レーザ光で化粧板９に穴をあけたり、レーザ光を当てて材料を変質させたり等することによって形成することができる。
【００１８】
化粧板９の第３の機能は、バックライトとしての照明機能である。このバックライト照明は、側方から供給される光を、その方向を略９０度変更させて正面側に反射させ、その正面側を照明するものである。このような光の反射は、例えば、化粧板９の背面に多数の凸レンズや凹レンズを設けることによって実現することができる。この化粧板９の材質としては、例えば、ＰＭＭＡ（メタクリル酸メチル樹脂）が好適であるが、同様の性質を有する樹脂であれば用いることができる。
【００１９】
更に、図１及び図２に示すように、筐体２の上部の開口部７の一方の側には、ディスクドライブ装置４等を動作させるための多数の操作ボタンを有する第１の操作ボタン群１２Ａが設けられている。第１の操作ボタン群１２Ａとしては、例えば、電源スイッチ、録画モードスイッチ、再生ボタン、早送りボタン、戻しボタン等の操作スイッチ・操作ボタンが含まれる。そして、筐体２の上部の開口部７の下側には、録画の媒体や録画時間等を設定する録画に関する複数の操作ボタンからなる第２の操作ボタン群１２Ｂが設けられている。この第２の操作ボタン群１２Ｂとしては、例えば、ＨＤＤ録画１ボタン、ＨＤＤ録画２ボタン、ディスク録画ボタン、録画予約ボタン等を挙げることができる。
【００２０】
また、筐体２の上部の開口部７の他方の側には、操作ボタン群１２の入力操作によって入力された情報や現在の状態等を表示する表示部１３が設けられている。表示部１３としては、例えば、液晶ディスプレイ、有機ＥＬディスプレイ等を用いることができる。この表示部１３に対応する蓋体３の部分には、蓋体３を閉じた状態で表示部１３を見ることができるように覗き窓１４が設けられている。
【００２１】
図３は、筐体２の開口部７及びその近傍を断面して示す説明図で、図４は、図３の要部を拡大して示す説明図である。図３及び図４に示すように、ディスクドライブ装置４のディスク装着部に位置しているディスクトレイ５の先端部に固定されている化粧板９の上方には、導光部材２０が配置されている。この導光部材２０は、光源から供給される光を用いて、自ら発光して状態を表示する表示灯のような機能と、自ら発光して周囲を照明する照明灯のような機能と、供給される光を反射させて光の進行方向を変える光路部のような機能の、３つの機能を有している。
【００２２】
このような機能を発揮させるため、導光部材２０の材質としては、例えば、ＡＢＳ（アクリロニトリル・ブタジエン・スチレン樹脂に光の拡散材を混入したものが好適である。しかしながら、アクリル樹脂（ＰＭＭＡ）に光の拡散材を混入したものでもよい。更に、同様の特性を有するプラスチックを用いることができることは勿論である。
【００２３】
導光部材２０は、本発明の照明装置に係る導光部材の一具体例を示すもので、図８〜図１０に示すような形状を有している。図８は、導光部材２０を正面側斜め下方から見た斜視図である。図９Ａは導光部材２０の平面図、図９Ｂは正面図、図９Ｃは背面図である。更に、図１０Ａは導光部材２０の右側面図、図１０Ｂは図９ＢのＸ−Ｘ線断面図、図１０Ｃは図９ＢのＹ−Ｙ線（図９ＡのＹ１−Ｙ１線）断面図である。
【００２４】
この導光部材２０は、表示灯のような機能を発揮する可視部２１と、照明灯のような機能を発揮する照明部２２と、光路部のような機能を発揮する供給部２３と、２つの固定部２４，２４を有している。可視部２１は、光が供給されることにより発光されて外部から視認が可能となる部分である。また、照明部２２は、光が供給されることにより発光されて周囲を照明する部分である。更に、供給部２３は、光が供給されることにより隣接して設置される照明部材に光を供給する部分である。そして、固定部２４は、導光部材２０を筐体２側に固定するための部分である。
【００２５】
導光部材２０の照明部２２は、断面形状が鳥の嘴のような形をした部分が直線的に連続する部分からなり、その嘴先端の連続部が可視部２１となっていて、その先端部から基端部に至る全体が照明部２２となっている。この照明部２２の長手方向の両端に、左右対称な形状をなすように２つの固定部２４が一体に設けられている。各固定部２４は、側方に突出する板状の部分からなり、それぞれネジ穴２５と位置決め孔２６が設けられている。この照明部２２の長手方向の略中央部に供給部２３が配置され、照明部２２と供給部２３が一体に設けられている。
【００２６】
照明部２２の背面側は、嘴が伸びる方向と略直交する方向に延在された垂直な壁面として形成されており、この壁面が入光面２７となっている。この入光面２７に、後述する光源が対向され、その光源から放射された光が入光面２７から導光部材２０に供給される。入光面２７は、図９Ｃに示すように、照明部２２のための第１の入光面２７ａと、供給部２３のための第２の入光面２７ｂとからなっている。
【００２７】
図１０Ａ〜１０Ｃに示すように、第１の入光面２７ａに対しては、照明部２２の下部において上向きに設定された第１の下反射面２８ａが対向されている。この第１の下反射面２８ａに対しては、照明部２２の上部において前向きに設定された第１の上反射面２８ｂが対向されている。そして、第１の上反射面２８ｂに対しては、照明部２２の先端部において後下向きに設定された第１の前反射面２８ｃが対向されている。
【００２８】
かくして、第１の入光面２７ａから照明部２２内に導入された光の多くは、第１の下反射面２８ａで反射されて上方に進路を変更し、第１の上反射面２８ｂに侵入する。その光は、第１の上反射面２８ｂで反射されて前方に進路を変更し、第１の前反射面２８ｃに侵入する。その光は、第１の前反射面２８ｃで反射されて下方に進路を変更し、照明部２２の内面２２ａから導光部材２０の外に放出される。この照明部２２の内面２２ａから放出される光（図３において光Ｌ３）と、照明部２２内の拡散剤に起因する反射による光によって、導光部材２０がその内側を照明する照明灯のような機能が発揮される。
【００２９】
また、照明部２２において、第１の上反射面２８ｂで反射されて前方に進行した光（図３において光Ｌ１）が、可視部２１から外部へ放射されることにより、導光部材２０による表示灯のような機能が発揮される。このときに放射されるスポットライトのような光（図３において光Ｌ２）で、外部に配置したレンズのような発光部を照射することにより、その発光部を光らせて表示灯や照明灯のような機能を発揮させることもできる。
【００３０】
図１０Ａ〜１０Ｃに示すように、第２の入光面２７ｂに対しては、供給部２３の上部において下向きに設定された第２の反射面２９が対向されている。この第２の反射面２９に対しては、供給部２３の下面２３ａが対向されている。この第２の反射面２９の一部と第１の下反射面２８ａの一部の高さを一致させるため、供給部２３の上部には、第１の下反射面２８ａより内側へ入り込む凹部３１が設けられている。
【００３１】
かくして、第２の入光面２７ｂから供給部２３内に導入された光は、第２の反射面２９で反射されて下方に進路を変更し、下面２３ａから導光部材２０の外に放出される。この供給部２３の下面２３ａから放出される光（図３において光Ｌ４）が、照明部材に入力される。その結果、照明部材（例えば、化粧板９）の照明部（例えば、凹彫刻１１）が、供給部２３から供給される光によって発光され、照明部材による照明機能が発揮される。
【００３２】
図５〜図７は、本発明の照明装置に係る照明部材の第２の具体例を示すものである。この照明部材４０は、ディスクトレイ５のディスク収納部１５の周囲にレンズ部４１を配置し、そのレンズ部４１を発光させてディスク収納部１５の周囲を照明するものである。この照明部材４０は、左右対称の形状をなす２本の照明部材４０Ａ，４０Ｂを１組として用いる構成としている。図７は、一対の照明部材４０Ａ，４０Ｂの代表例として、左右対称をなす一方の照明部材４０Ａを図示したものである。
【００３３】
照明部材４０（４０Ａ、４０Ｂ）は、光の受光部４１と、入力された光を所定の部位まで導く光路部４２と、３つのレンズ部４３Ａ，４３Ｂ，４３Ｃと、６つの反射部４４Ａ，４４Ｂ，４４Ｃ，４４Ｄ，４４Ｅ，４４Ｆとを有している。３つのレンズ部４３Ａ，４３Ｂ，４３Ｃは、予め設定された所定の部位に設けられ、その部位で発光することによって周囲を照明する。また、６つの反射部４４Ａ，４４Ｂ，４４Ｃ，４４Ｄ，４４Ｅ，４４Ｆは、光路部４２内の所定の位置に設けられ、その部位を通過する光の全部又は一部を反射させて、その光の進路を変更する。この照明部材４０の材質としては、例えば、ＰＭＭＡ（メタクリル酸メチル樹脂）が好適であるが、同様の性質を有する樹脂であれば用いることができる。
【００３４】
照明部材４０の光路部４２は、ディスクトレイ５のディスク収納部１５の一方の側面を囲うような形状とされていて、背面片４２ａと、側面片４２ｂと、前面片４２ｃを有している。背面片４２ａは、ブロック状に形成された直方体をなす受光部４１の一方の側面に連続して形成されており、その受光部４１と反対側の端部に側面片４２ｂの後端部が連続されている。側面片４２ｂは、背面片４２ａが延在する方向と略直交する前方に延在されていて、その前端部に前面片４２ｃの一方の端部が連続されている。前面片４２ｃは、山形に折り曲げ形成されており、背面片４２ａと同じ側に突出する先端部が斜め前方に延在されている。
【００３５】
第１のレンズ部４３Ａは、側面片４２ｂの長手方向の中途部において、上面から上方へ突出するように設けられている。第２のレンズ部４３Ｂは、前面片４２ｂの山形に折り曲げられた折曲部分において、上面から上方へ突出するように設けられている。そして、第３のレンズ部４３Ｃは、前面片４２ｃの先端部において、上面から上方へ突出するように設けられている。
【００３６】
第１の反射部４４Ａは、受光部４１に設けられている。この第１の反射部４４Ａは、上方から入射された光を反射して進路を略９０度変更させることにより、その光を背面片４２ａに透過させる。第２の反射部４４Ｂは、背面片４２ａと側面片４２ｂの連続部に設けられており、受光部４１から供給された光を反射して進路を略９０度変更させることにより、その光を側面片４２ｂに透過させる。第３の反射部４４Ｃは、側面片４２ｂの光路の中途部分に配置されており、側面片４２ｂを透過する光の一部を反射して進路を略９０度変更させることにより、その光を第１のレンズ部４３Ａに供給する。この光によって第１のレンズ部４３Ａが発光され、第１のレンズ部４３Ａによる照明が実行される。
【００３７】
第４の反射部４４Ｄは、側面片４２ｂと前面片４２ｃの連続部に設けられており、側面片４２ｂを透過する光を反射して進路を略９０度変更させることにより、その光を前面片４２ｃに透過させる。第５の反射部４４Ｅは、前面片４２ｃの折曲部分に設けられており、前面片４２ｃを透過する光の一部を反射して進路を略９０度変更させることにより、その光を第２のレンズ部４３Ｂに供給する。この光によって第２のレンズ部４３Ｂが発光され、第２のレンズ部４３Ｂによる照明が実行される。
【００３８】
これと同時に、前面片４２ｃを透過する光の一部は、第５の反射部４４Ｅを回避し或いは透過して、前面片４２ｃの先端側に進行する。また、第６の反射部４４Ｆは、前面片４２ｃの先端部に設けられており、前面片４２ｃを透過する光を反射して進路を略９０度変更させることにより、その光を第３のレンズ部４３Ｃに供給する。この光によって第３のレンズ部４３Ｃが発光され、第３のレンズ部４３Ｃによる照明が実行される。
【００３９】
図６は、図７に示した構成を有する一対の照明部材４０Ａ、４０Ｂを、ディスクトレイ５に取り付けた状態を説明する図である。一対の照明部材４０Ａ、４０Ｂは、ディスク収納部１５を左右方向から挟むように配置してディスクトレイ５に取り付ける。このように一対の照明部材４０Ａ、４０Ｂを配置することにより、それぞれの受光部４１が所定の間隔をあけて対向するように設置される。この際、一対の照明部材４０Ａ、４０Ｂの各光路部４２はディスクトレイ５の内部に埋没させ、３つのレンズ部４３Ａ〜４３Ｃと受光部４１のみがディスクトレイ５の上面から露出されるようにする。照明部材４０Ａ、４０Ｂを透過する光が光路部４２から漏れたり、外部から余分な光が入力されるのを防止するためである。
【００４０】
一対の照明部材４０Ａ、４０Ｂを、図５及び図６に示すように配置して設けることにより、ディスク収納部１５の前側の半分が左右３つ、合計６つのレンズ部４３Ａ〜４３Ｃによって囲われる。そこで、これら６つのレンズ部４３Ａ〜４３Ｃを点灯表示することにより、ディスクトレイ５におけるディスク収納部１５の位置及びその状態を、照明下ではっきりと認識することが可能となる。そのため、ディスク収納部１５に光ディスク５０が収納されているか否か、或いは、収納されている光ディスク５０の内容が何であるか等を目で見て確実に認識することができる。
【００４１】
なお、レンズ部の数及び配置は、この実施例に限定されるものではなく、例えば、レンズ部の数を５個以下に設定してもよく、また、７個以上を配置する構成としてもよいことは勿論である。そして、レンズ部の配置についても同様であり、所望のレンズ部を位置の位置に配置できることは勿論である。更に、発光部の構造についても、この実施例のレンズ部に限定されるものではなく、その他の発光手段を用いることができることは勿論である。
【００４２】
図５及び図６に示すように、所定間隔をあけて対向設置された一対の受光部４１，４１は、ディスクトレイ５が最も飛び出したディスク取出位置に移動した状態において、導光部材２０の供給部２３の下面２３ａに対向するように構成されている。導光部材２０は、筐体２の天板２ａにネジ止め等の固定手段によって固定されており、ディスクトレイ５が最も引っ込んだディスク装着位置に移動した状態では、化粧板９の上面と対向するようになっている。天板２ａの前端部には化粧枠５２が固定されており、この化粧枠５２の下部から導光部材２０の可視部２１が露出されている。
【００４３】
この導光部材２０の内側に、光源の一具体例を示す発光ダイオード５５が配置されている。図４等に示すように、光源としての発光ダイオード５５は、図示しない制御装置の配線基板５６に実装されていて、導光部材２０の背面に所定の隙間をあけて対向設置されている。なお、配線基板５６は、ディスクドライブ装置４の上面にネジ止め等の固定手段によって固定されている。
【００４４】
この実施例で示す発光ダイオード５５は、光を放射する４つの放射部を有しており、４つの放射部は横方向に所定の間隔をあけて設けられている。このように４つの放射部を設けた理由は、ディスクトレイ５に２つの受光部４１を設けたことによるものである。即ち、２つの放射部は、２つの受光部４１に個別に光を供給するために必要とされるものであり、残り２つの放射部は、２つの受光部４１に対向された第２の入光面２７ｂの両外側に、照明部２２のための２つの第１の入光面２７ａを設けたためである。
【００４５】
かくして、図４に示すように、発光ダイオード５５から放射された４つの光（光束）は、その大部分が導光部材２０に入射されるが、そのうちの２つの光（光束）は２つの第１の入光面２７ａから入射され、残り２つの光は第２の入光面２７ｂから入射される。第１の入光面２７ａに入射された光は、第１の下反射面２８ａで反射され、更に、第１の上反射面２８ｂで反射されて、上方の光路Ｍ１のように進行する。その結果、光路Ｍ１側を移動する一部の光Ｌ１が、可視部２１から外に放出される。また、光路Ｍ１側を移動する残りの光Ｌ２，Ｌ３が、照明部２２の内面２２ａから外に放出される。
【００４６】
これに対して、導光部材２０の第２の入光面２７ｂから入射された光は、第２の反射面で反射されて、下方の光路Ｍ２のように進行する。その結果、光路Ｍ２側を移動して下面２３ａから外に出た光Ｌ４が、ディスクトレイ５の収納状態では、化粧板９内を進行し凹彫刻１１に当たって反射され、その凹彫刻１１を照明によって浮き上がらせる。また、ディスクトレイ５が飛び出した状態では、供給部２３の下面２３ａから外に出た光Ｌ４が、２つの受光部４１にそれぞれ入力される。その結果、２つの光路部４２を通る光が、それぞれのレンズ部４３Ａ〜４３Ｃを発光させ、そのレンズ部の発光によりディスク収納部１５の周囲を照明する。
【００４７】
なお、光源としては、この実施例で説明した発光ダイオードに限定されるものではなく、発光ランプその他の光源を用いることができることは勿論である。
【００４８】
このような構成を有する照明装置を備えたＤＶＤ機器１は、例えば、次のようにして使用することができる。
一般に、この種のＤＶＤ機器１は、薄暗い部屋で映画等を見るときに使用されるものである。そのため、例えば、長時間に亘って映画を鑑賞するような場合には、光ディスクの交換作業等は、薄暗い状態で行われることが多い。
【００４９】
このとき、本願発明によれば、蓋体３を開いて筐体２の前面の上部を開放すると、図２に示すように、ディスクトレイ５の前面に固定された化粧板９と、筐体２の前面に設けられた第１及び第２の操作ボタン群１２Ａ，１２Ｂ並びに表示部１３が露出される。そこで、筐体２に設けられている電源ボタン或いはリモートコントロール装置に設けられている電源ボタンをオンし、ＤＶＤ機器１に電源を投入する。その結果、制御装置の作動を介して光源である発光ダイオード５５から光が放射され、その光が導光部材２０に供給されて、可視部２１が発光される。これにより、ＤＶＤ機器１の電源が投入されたことを知ることができ、電源のオン・オフを、可視部２１を目で見て確認することができる（パワーインジケータ）。
【００５０】
また、例えば、視聴済みの光ディスクをディスクトレイ５のディスク収納部１５から取り出す場合には、発光ダイオード５５を動作させて導光部材２０に光を供給する。この場合、図２〜図４に示すように、ディスクトレイ５がディスク装着位置に押し込まれた状態にあるときには、導光部材２０の照明部２２の全体が光るために、その光によって筐体２の前面が照明される（ディスク照明）。これにより、開口部７の下方に設けられた第２の操作ボタン群１２Ｂが照明され、各操作ボタンの前面が明るく見易くなる。
【００５１】
その結果、第２の操作ボタン群１２Ｂの各操作ボタンの表示を明瞭にすることができ、各操作ボタンの機能（例えば、ＨＤＤ録画１、ＨＤＤ録画２、ディスク録画、録画予約等）を明白にして、誤操作の発生を防止することが可能となる。これと同時に、導光部材２０の供給部２３に供給された光が化粧板９の凹彫刻１１に反射して光らせるため、その凹彫刻１１が正面から浮いて見える。その結果、化粧板９に彫刻された文字等を、目で見て知ることができる（浮き文字照明）。
【００５２】
一方、図１及び図５に示すように、ディスクトレイ５がディスク取出位置に引き出された状態にあるときには、発光ダイオード５５から放射された光は、導光部材２０の供給部２３から一対の照明部材４０Ａ，４０Ｂの各受光部４１に入力される。そして、各受光部４１に入力された光は、それぞれの光路部４２を透過して先端側に進行し、その光の一部が３つの反射部４４Ｃ，４４Ｅ，４４Ｆにおいて、それぞれレンズ部４３Ａ，４３Ｂ，４３Ｃ側に反射される。その結果、６つのレンズ部４３Ａ〜４３Ｃが同時に発光され、この６つのレンズ部４３Ａ〜４３Ｃの発光によってディスク収納部１５が照明される（トレイ照明）。これにより、暗い部屋であっても、ディスク収納部１５に対する光ディスクの取り出し作業や、装着作業等を容易に行うことができる。
【００５３】
なお、本発明では、ディスクトレイ５の内部に、光源からの光を導光するための透明な部材が必要になるが、電気的な部品や配線を行わないで照明ができるため、照明装置全体の構造を簡単なものにすることができるというメリットがある。また、本発明は、上述した４つの機能（パワーインジケータ、ディスク照明、浮き文字照明及びトレイ照明）のすべてを満たすように構成する必要はなく、これらの内の少なくとも２つを満たすものであれば、よいものである。更に、上記実施例では、光源の色や輝度については言及していないが、状態に合わせて任意に調整できることは勿論である。
【００５４】
上記光源である発光ダイオード５５と導光部材２０と化粧板９と２つの照明部材４０Ａ，４０Ｂによって本発明の照明装置が構成されている。しかしながら、照明装置としては、上記要素をすべて満たす必要はなく、少なくとも発光ダイオード５５と導光部材２０を有するものであれば、本発明の照明装置を構成することが可能である。また、本発明の電子機器は、上述したＤＶＤ機器に限定されるものではなく、例えば、操作パネルや操作ボタンその他の複数の部位を簡易に照明する必要がある各種の電子機器（例えば、テレビジョン、ステレオ装置等）に適用できるものである。更に、上記実施例においては、照明装置を筐体２に設けた例について説明したが、照明装置は蓋体３に設ける構成としてもよいことは勿論である。
【００５５】
以上説明したように、本発明によれば、１つの光源から放射される光を、合理的に配置された反射面を利用して様々な方向に分配するように構成した。そのため、パワーインジケータ、ディスク照明、浮き文字照明及びトレイ照明のうち、少なくとも２つを効率よく発揮させることができ、操作パネルやディスクの出し入れ部分の照明設備を簡単な構成によって実現することができる。しかも、操作ボタンの操作やディスクの着脱作業を明るい照明下で行うことができ、その操作性を向上させることができる。
【図面の簡単な説明】
【００５６】
【図１】本発明の照明装置を備えた電子機器の第１の実施の形態の例を示すＤＶＤ機器の外観斜視図である。
【図２】本発明の照明装置を備えた電子機器の第１の実施の形態の例を示すＤＶＤ機器の正面図である。
【図３】本発明の照明装置を備えた電子機器の第１の実施の形態の例を示すＤＶＤ機器の要部を断面した説明図である。
【図４】図３の要部を拡大して示す説明図である。
【図５】本発明の照明装置を備えた電子機器の第１の実施の形態の例を示すＤＶＤ機器のディスクトレイを飛び出した状態の要部を断面した説明図である。
【図６】本発明の照明装置を備えた電子機器の第１の実施の形態の例を示すＤＶＤ機器のディスクトレイを飛び出した状態の要部の説明図である。
【図７】本発明の照明装置に係る照明部材の第１の実施の形態の例を示す斜視図である。
【図８】本発明の照明装置に係る導光部材の第１の実施の形態の例を示す斜視図である。
【図９】本発明の照明装置に係る導光部材の第１の実施の形態の例を示すもので、図９Ａは平面図、図９Ｂは正面図、図９Ｃは背面図である。
【図１０】本発明の照明装置に係る導光部材の第１の実施の形態の例を示すもので、図１０Ａは右側面図、図１０Ｂは図９ＢのＸ−Ｘ線断面図、図１０Ｃは図９ＢのＹ−Ｙ（Ｙ１−Ｙ１）線断面図である。
【符号の説明】
【００５７】
１…ＤＶＤ機器（電子機器）、  ２…筐体、  ３…蓋体、  ４…ディスクドライブ装置、  ５…ディスクトレイ、  ７…開口部、  ９…化粧板（照明部材）、  １１…凹彫刻、  １２Ｂ…第２のボタン群、  １５…ディスク収納部、  ２０…導光部材、  ２１…可視部（表示灯）、  ２２…照明部（照明灯）、  ２２ａ…内面、  ２３…供給部、  ２３ａ…下面、  ２７ａ…第１の入光面、  ２７ｂ…第２の入光面、  ２８ａ…第１の下反射面、  ２８ｂ…第１の上反射面、  ２８ｃ…第１の前反射面、  ２９…第２の反射面、  ４０，４０Ａ，４０Ｂ…照明部材、  ４１…受光部、  ４２…光路部、  ４３Ａ，４３Ｂ，４３Ｃ…レンズ部、  ４４Ａ，４４Ｂ，４４Ｃ，４４Ｄ，４４Ｅ，４４Ｆ…反射部、  ５０…光ディスク、  ５５…発光ダイオード（光源）、  ５６…配線基板
【図１】
2009271981.tif 000003
【図２】
2009271981.tif 000004
【図３】
2009271981.tif 000005
【図４】
2009271981.tif 000006
【図５】
2009271981.tif 000007
【図６】
2009271981.tif 000008
【図７】
2009271981.tif 000009
【図８】
2009271981.tif 000010
【図９】
2009271981.tif 000011
【図１０】
2009271981.tif 000012